(57)【要約】【課題】建物の屋外に面した窓ガラス内の窓空間の空気を循環し、屋内の居住・空調状態を快適に維持するとともに、その窓空間を構成する要材によって、同窓ガラスに近づくことの危険性を予知させ、また室内の清掃作業を容易にして、居住空間の環境整備等をより積極的に改善・寄与する。【解決手段】建物２の屋外に面した窓ガラス１の内側に窓空間７を区画形成するロールブラインド６と、この窓空間の下部は居室内の床面と区画したやや高い段差部１０を設け、ロールブラインド下端部９と段差部１０とで間隙１１を形成し、この段差部に立脚かつ柱１４・壁間を柵状に水平配置したエアバリアファン８とで構成し、エアバリアファンによって窓空間内に（空調機とともに）居室との循環風路（エアバリアシステム）を形成させる。【選択図】  図１
2004278847.tif 000002
【特許請求の範囲】
【請求項１】
建物の屋外に面した窓ガラスと、
前記窓ガラス内側に窓空間を区画形成するロールブラインドと、
前記窓空間の下部は居室内の床面と区画したやや高い段差部と、
前記段差部に立脚し、かつ柵状に水平設置したエアバリアファンとを有し、
前記エアバリアファンにより前記居室内の空気を前記窓空間内へ送風することを特徴とするエアバリアファン装置。
【請求項２】
前記エアバリアファンが吸気する方向の角度範囲は、前記エアバリアファンの垂直下方向と前記ロールブラインドの下端部に向かう斜方向との角度範囲内であることを特徴とする請求項１に記載のエアバリアファン装置。
【請求項３】
前記エアバリアファンの運転制御は、運転スイッチを操作することによって、前記空調機と連動する運転と、または連動しない運転とを選択することを特徴とする請求項１に記載のエアバリアファン装置。
【請求項４】
前記エアバリアファンの運転制御は、前記エアバリアファンの個々毎に、または、および前記エアバリアファンの特定のブロック毎に行うことを特徴とする請求項１または３に記載のエアバリアファン装置。
【請求項５】
前記エアバリアファンは、前記建物の柱間、または、および壁間を締結する柵と、前記柵の内部に適宜間隔毎に装着したクロスフローファン、及びその駆動装置、及びその運転制御装置と、前記クロスフローファンの対応位置毎に設けた吸気口と吹出口と、前記柵途中に立脚した支柱内に内装した前記エアバリアファンの電気配線とを設けて構成することを特徴とする請求項１、３、４のいずれかに記載のエアバリアファン装置。
【請求項６】
前記柵状の前記エアバリアファンは、前記建物の前記ガラス窓の全内周を連続、かつ包囲するように設置したことを特徴とする請求項１、３、４、５のいずれかに記載のエアバリアファン装置。
【発明の詳細な説明】
【０００１】
【発明の属する技術分野】
本発明は、建物の屋外に面した窓ガラスの内側にロールブラインドと段差部とによって窓空間を構成し、柵状のエアバリアファンによって居室内に有効な循環風路（エアバリアシステム）を生じせしめて快適な居住状態を現出・維持すると同時に、窓ガラスの危険予防や居室内の清掃性等にも優れたエアバリアファン装置に関するものである。
【０００２】
【従来の技術】
従来、屋外に面した窓際のエアバリアファン装置に関しては、各種のものが提案され、既に知られている。
例えば、ブラインド下端に温風発生装置を設け、窓とブラインドで形成される空間を暖めるようにしたブラインドがある（例えば、特許文献１参照）。
また、床板に設けた通気口から空気を誘引し、プッシュファンと排気ファンとで、日射光線遮蔽物と窓ガラス間のペリメータゾーンの空調方法がある（例えば、特許文献２参照）。
さらに、ブラインドの下端部と送風装置を結合し、床面から離間配置してエアーバリア換気するシステムがある（例えば、特許文献３参照）。
また、窓とスクリーン（またはブラインド）の間の空間を送風ファン（および排気ファン）によって構成するエアバリア装置がある（例えば、特許文献４参照）。
【０００３】
【特許文献１】
特開昭６３−２８９１９２号公報（第２頁、第１−２図）
【特許文献２】
特開２０００−２９１９７２号公報（第２−３頁、第１図、第９図）
【特許文献３】
特開２００２−９８３８３号公報（第５−８頁、第１図、第４−７図）
【特許文献４】
特開２０００−３３７０５２号公報（第２−３頁、第１図、第５図）
【０００４】
【発明が解決しようとする課題】
以上のように、従来からペリメータゾーンの空調方法やエアーバリア換気システム等の種々の方式が既に提案されている。
つまり、これらの従来技術は、１年を通じて複雑に変化する窓際の温熱環境（日射や外気温の影響を直接的に受ける環境）に対して、その結露防止や空調方法、換気、熱負荷についてシステム的に快適な居住空間をつくるものであり、その点については確かに夫々に有用・特異性を有するものと考えられる。
【０００５】
しかしながら、殊に高層の建物（その中でも、例えば、十分な自然採光と眺望性を重視した全面がガラス張りの建物）に関して、その屋外に面した全面の窓ガラスに対する危険（例えば、窓ガラスにぶつかる等）予防の配慮や、数多くの居室内の清掃作業（例えば、部屋の窓際の隅にごみなどが吹き溜まる等）性の配慮については、これら従来技術のいずれにもその記載がなく、したがって、その意味で、危機管理や清掃管理等の問題が生じていることにもなる。
【０００６】
本発明は、このような問題点に鑑みなされたもので、建物の屋外に面した窓ガラスの内側に窓空間を形成し、エアバリアファンによって居室内に有効な循環風路（エアバリアシステム）を生じせしめて、快適な居住状態を現出・維持すると同時に、窓ガラスに近づくことの危険防止の構成・表示と、居室内の清掃作業を簡易に出来ること等を兼ね備えた構成を特徴とするエアバリアファン装置を提供するものである。
【０００７】
【課題を解決するための手段】
本発明のエアバリアファン装置は、建物の屋外に面した窓ガラスと、前記窓ガラス内側に窓空間を区画形成するロールブラインドと、前記窓空間の下部は居室内の床面と区画したやや高い段差部と、前記段差部に立脚し、かつ柵状に水平設置したエアバリアファンとで構成し、前記エアバリアファンにより前記居室内の空気を前記窓空間内へ送風することを特徴とするものである。
【０００８】
【発明の実施の形態】
請求項１記載の発明は、屋外に面した窓ガラスの内側に、ロールブラインドと、やや高い段差部とを設けることによって、格別の窓空間を居室と仕切って構成することとなり、エアバリアファンによって有効な循環風路（エアバリアシステム）を形成することができる。つまり、殊に夏季の輻射熱対策、冬季のコールドドラフト対策・結露対策に有効となって快適な居住状態を現出・維持することができる。
そして、柵状のエアバリアファンと段差部とによって構成された窓空間は、居室との区画を格別とし、屋外に面した窓ガラスに近づくことへの危険防止のための構成を兼ね備えたものになっている。つまり、構造的に、視覚的（色調を工夫すれば、より一層効果的になる）に、窓空間内に人が踏み込んで立ち入ることが出来にくくなる（窓ガラスに近づけない）構成としている。
【０００９】
さらに、窓空間を、やや高い段差部とロールブラインドとで構成しているので、居室内から窓空間へほこりやごみが進入し、窓空間の中が吹き溜まりとなることを防ぎ、つまりごみ等が手前の段差部で留まることになって、居室内の床面上の清掃作業を容易にする区画とすることができる。
また同時に、エアバリアファンの運転についても、ロールブラインドと段差部の間隙によって、居室内の床面上等からの塵埃等の吸込み（吸気・流入）を積極的に軽減化することができるので、エアバリアファン内のフィルターの洗浄・交換頻度（メンテナンス）を少なくすることができる。
さらに窓（ガラス）際への物置き（書類やケース、書棚や書庫等）としての利用を極めて困難にする構成とすることができる。
以上より、仕事や作業、生活等の環境を整備し、美観や視野、インテリア性等の諸条件を総合的に損なわないようにより一層向上させることができるものとなる。
【００１０】
請求項２記載の発明は、エアバリアファンの吸気口とロールブラインドの下端部とで形成する吸込口（仮に相当部分とする）とを、最短距離（短絡的に）で結ぶことができ、エアバリアファンの運転によって、積極的に居室内の空気を全体的（偏らずに）に吸気（スリット状・平面状の気流）することができる。
【００１１】
請求項３記載の発明は、殊に、夏季は、日射量、外気温を検知して空調機等と連動（設定値に自動運転制御）させたり、手動運転に切替え（選択して）て、快適な居住状態を維持することができる。冬季についても、同様に外気温を検知して空調機等と連動（設定値に自動運転制御）させたり、手動に切替えて、快適な居住状態を維持することができる。
【００１２】
請求項４記載の発明は、居室の使用用途、使用時間（時刻）・使用頻度、広さ等々に応じて自在に設計・設置し、エアバリアファンの運転操作を簡易化し、快適な居住状態を維持することができる。
【００１３】
請求項５記載の発明は、柵状のエアバリアファンは、建物の強度上の補強・補助部材を兼ねたり、窓ガラスに近づけない防護具としての構成（部材）を兼ねたり、運転制御は容易（操作ミスのない）に操作ができて、また居室のインテリア性や美観を損なわないようにすることができる。
また、柵状のエアバリアファンの補強（水平のたわみ強度等）を兼ね、内部に電気配線を一括して収めることができ、美観を損なうことがない。
【００１４】
請求項６記載の発明は、建物の屋外に面した殆んど全部のガラス窓（建物の開口部分）に対応して設置するので、建物全体の管理面、個別の操作面、同一性、メンテ性、応急性、空調性等の点で優れたものとすることができる。
【００１５】
（実施例）
以下、本発明の実施例について、図面を用いて説明する。図１は、本発明の一実施例に係るエアバリアファン装置の窓空間部の縦断面の概要を示す図である。図１において、１は建物（例えば、高層の全面がガラス張りの建物）２の屋外に面した窓ガラスを示し、同様構造の階上及び階下も示したものである。
３は、屋内側の居室を示し、床面４及び天井５によって構成している。６は、ロール（式）ブラインドを示し、屋外に面した窓ガラス１の内側との間に窓空間７を形成（エアバリア空間を形成）している。ロールブラインド６は、天井５部に取り付けされた巻き機（図示しない）によって適宜の位置に昇降（操作）されるが、エアバリアファン８の運転（後述する）時は、ロールブラインド６の下端部９と段差部１０との間に所定寸法のスリット状の間隙１１を形成するように予め設定がなされている。ロールブラインド６の下端部９は、重し（延伸用や振れ防止用）や間隙１１（スリット状の吸込口）形成の直線用具等を兼ねたものである。
窓空間７の下部は、居室３の床面４よりもやや高い段差部１０を設け、さらにこの窓空間７の中に柵１２状のエアバリアファン８を設置している。１３は、エアバリアファン８の途中の支柱であり、エアバリアファン８の両端は例えば柱１４（後述の図４）や壁１５（後述の図４）等に支持されている。支柱１３内には、エアバリアファン８の運転制御用の配線を内装している。
【００１６】
図２は、図１の同要部の詳細を示す縦断面略図、図３は、エアバリアファンの縦断面略図である。
図２、図３において、エアバリアファン８は、クロスフローファン（例えば、エアコン等に用いられている吹出し用のクロスフロー方式のプッシュファン）やその駆動装置、操作・運転（制御）装置等を、断面が例えば円筒状の柵１２内（ケーシングを兼ねて柵１２としている）に内装している。
また、運転（スイッチ用）の操作盤１８用、メンテナンス用等に柵１２の該部にカバー（開閉蓋）等を設けている。エアバリアファン８は、これらを仮に総称するもの（以下、同じ）とする。
本実施例において、柵１２の最外径は１２０ｍｍφ、内装のクロスフローファンの長さは３００ｍｍ、および５００ｍｍのものが用いられている。エアバリアファン８の設置は、高さが床面４の上方に６００ｍｍ  、窓空間７内の水平距離が窓ガラス１より２６５ｍｍ、ロールブラインド６より１８０ｍｍの中間位置に設置されている。
柵１２や支柱１３の材質は、強度から金属製（例えば、アルミ押出形材。塗装の皮膜処理も可能）を基本とするが、クロスフローファン等の電気器具を内装しているので、ケーシングとしての接地は欠かせない要件となるのは明白である。この意味では、樹脂製（危険表示等を考慮した着色も自由となる）とするのも可能である。
段差部１０は、床面４よりやや高い１００ｍｍであり、窓空間７の下部を形成している。
ロールブラインド６は、通気性の無いもの（光透過性やその材質等は限定しない）を基本とするが、有効に窓空間７を形成（エアバリアシステムの要部となる）するのに悪影響を及ぼさない程度の通気性にものであれば使用できる。
この意味において、スラット（式）ブラインドは、気流の乱れや風量（風速）の減少ロス等を生じるので好ましくないといえる。
【００１７】
ロールブラインド６の下端部９と段差部１０との間の間隙１１は、１５ｍｍであり、エアバリアファン８の運転によって、居室３内の空気が間隙１１からエアバリアファン８の吸気口１６に吸気（吸引）される。吸気された空気は、エアバリアファン８の吹出口１７から吹出され、窓空間７内を上方に送風される。
エアバリアファン８の吸気口１６、吹出口１７は、いずれも柵１２の円周方向にスリット状に並行に並べて開口したもので、その開口面積は、吸気口１６と吹出口１７とが同一に設計されている。また、吸気口１６の吸気角度ａは、「垂直下〜間隙１１（または下端部９）に向けて（短絡的な）の範囲内」に設定され、吹出口１７の吹出角度ｂは、「水平から斜上方（窓ガラス１に向かって）に４５°〜６０°の範囲内」に設定されている。なお、エアバリアファン８の送風速度は、１〜１．５ｍ／ｓｅｃ、送風量は、５０〜１００ｍ３／ｈに設定されている。
これらの各設定値（寸法）は、ロールブラインド６がエアバリアファン８の運転による送風の影響を受けて、振れ・揺れたり、騒音を発したりしない（居住者に不快感を与えるような状態にならない）ように設計されている。
【００１８】
エアバリアファン８による窓空間７内の送風は、天井５部（天井内、天井裏等）のダクト（図示せず）、空調機（図示せず）へと流れ（経て）、再び居室３内へと循環風路を成している。即ち、窓空間７内のエアバリアファン８の運転によって、有効な循環風路（エアバリアシステム）を形成することができる。
つまり、殊に夏季の輻射熱対策（日射負荷低減）として輻射熱（量）を検知して空調機等と連動（運転制御）したり、また、冬季のコールドドラフト対策及び結露対策として外気温を検知して空調機等と連動（運転制御）することが選択でき、総じて省エネ効果を生じることになる。春季や秋季については、詳細に言及しないが、状況（必要）に応じて空調機、エアバリアファン８の運転や、ロールブラインド６の操作等を適宜選択することになる。
【００１９】
エアバリアファン８の運転（制御）操作は、空調機との連動のＯＮ〜ＯＦＦの選択や、送風量（送風速度）の強〜中〜弱の選択が、操作盤１８（後述の図４）によって自在に出来るものとする。また、エアバリアファン８の運転（制御・操作）操作は、居室３の広さ、使用目的、用途や頻度等々により、個々のエアバリアファン８毎やエアバリアファン８の特定のブロック毎に設計・設定がなされる。
なお、１９は居室３内への外気の（自然）換気口を示し、適宜手動によって蓋の開閉がなされるものである。２０は、（階下の）外気取入口を示し、空調機への外気の取り入れ用に使用されるものである。
以上により、柵１２状のエアバリアファン８と段差部１０とによって構成された窓空間７は、居室３の床面４との区画を格別とし、屋外に面した窓ガラス１に近づくことへの危険防止のための構成を兼ね備えたものになっている。
つまり、構造的に、視覚的（色調を工夫すれば、より一層効果的になる）に、窓空間７内に人が踏み込んで立ち入ることが出来にくくなる（窓ガラスに近づけない）構成としている。
【００２０】
さらに、窓空間７を、やや高い段差部１０とロールブラインド６とで構成しているので、居室３内から窓空間７へほこりやごみが進入し、窓空間７の中が吹き溜まりとなることを防ぎ、つまりごみ等が手前の段差部１０で留まることになって、居室３内の床面４上の清掃作業を容易にする区画として構成することができる。
また同時に、エアバリアファン８の運転についても、ロールブラインド６と段差部１０の間隙１１とによって、居室３内の床面４上等からの塵埃等の吸込み（吸気・流入）を積極的に軽減化することができるので、エアバリアファン８内のフィルターの洗浄・交換頻度（メンテナンス）を少なくすることができる。
【００２１】
図４は、図１のエアバリアファン装置の建物内の設置状況を示し、（Ａ）は、平面略図、（Ｂ）は、屋内（居室）側からの正面（断面）略図である。なお、この両図は、ややこしく難解になるのを避けるために、略図とする。
図４（Ａ）、（Ｂ）において、柵１２状のエアバリアファン８は、建物２の柱１４や（構造）壁１５の間を締結し、屋外に面した窓ガラスの全内周を連続かつ包囲して設置している状況を示している。もちろん、柱１４や壁１５を迂回して設置しても良い。なお、建物２の出入口等の設置は出来ない。
１８は、エアバリアファン８を運転（制御）する操作盤を示している。したがって、建物２全体の環境状態の管理面、個別のエアバリアファン８の操作性、機器や機材の同一性（統一性）、そのメンテナンス性、環境変化への応急性、外的変化に対する空調性、非難時の誤認防止性等の諸点で優れたものとすることができる。
【００２２】
【発明の効果】
以上のように、本発明は、屋外に面した窓ガラスの内側に、ロールブラインドと段差部とによって格別の窓空間を居室と仕切って形成し、エアバリアファンの運転（制御）によって有効な循環風路（エアバリアシステム）を形成することができる。つまり、殊に夏季（輻射熱対策）や冬季（コールドドラフト対策、結露対策）において、快適な居住状態を現出・維持することができる。
そして、窓空間内の柵状のエアバリアファンと段差部との構成は、居室（の床面）との区画を格別とし、屋外に面した窓ガラスに近づくことへの危険防止のための構成とすることを兼ね備えたものになっている。つまり、構造的に、視覚的（色調を工夫すれば、より一層効果的になる）に、窓空間内に人が踏み込んで立ち入ることが出来にくくなる（窓ガラスに近づけない）構成としている。
【００２３】
さらに、窓空間の段差部とロールブラインドとの構成は、居室内から窓空間へほこりやごみが進入し、窓空間の中が吹き溜まりとなることを防ぎ、つまりごみ等が手前の段差部で留まることになって、居室内の床面上の清掃作業を容易にする区画とすることができる。
また同時に、エアバリアファンの運転についても、ロールブラインドと段差部の間隙によって、居室内の床面上等からの塵埃等の吸込み（吸気・流入）を積極的に軽減化することができるので、エアバリアファン内のフィルターの洗浄・交換頻度（メンテナンス）を少なくすることができる。
【図面の簡単な説明】
【図１】本発明の一実施例のエアバリアファン装置の窓空間部の縦断面の概要を示す図
【図２】図１の同要部の詳細を示す縦断面の概要を示す図
【図３】図１のエアバリアファンの縦断面略図
【図４】（Ａ）図１のエアバリアファン装置の建物内の配置状況を示す平面略図
（Ｂ）屋内側からの正面略図
【符号の説明】
１  窓ガラス
２  建物
３  居室
４  床面
５  天井
６  ロールブラインド
７  窓空間
８  エアバリアファン
９  下端部
１０  段差部
１１  間隙
１２  柵
１３  支柱
１４  柱
１５  壁
１６  吸気口
１７  吹出口
１８  操作盤
１９  換気口
２０  外気取入口
【図１】
2004278847.tif 000003
【図２】
2004278847.tif 000004
【図３】
2004278847.tif 000005
【図４】
2004278847.tif 000006